(57)【要約】【課題】編地の所定の位置に、盛り上がった刺繍状の編目模様を簡便かつ迅速に施すことができる見栄えのよい編物を提供する。【解決手段】二本の編糸Ａ糸２及びＢ糸３を用いて往路７、１０、復路８、１３編成する両面アフガン編物である。往路１０を編成する際に、編地に模様１１を施す位置において表目９の裏面の目１２を拾って編成し、復路を編成する際に、裏面の目１２を拾った位置で鎖目１４を編成することによって盛り上がった刺繍状の編目模様１６を形成している。【選択図】図３
0003184231.tif 000002
【実用新案登録請求の範囲】
【請求項１】
複数の編糸を用いて編成する両面アフガン編物であって、所定の編地位置に、往路を編成する際に単数または複数の表目の裏面の目を拾って編成し、復路を編成する際に裏面の目を拾った位置で鎖目を編成することによって盛り上がった刺繍状の編目模様の編地を形成するようにしたことを特徴とする両面アフガン編物。
【請求項２】
二本の編糸で編成した請求項１に記載の両面アフガン編物。
【請求項３】
編糸を異色とした請求項１または２に記載の両面アフガン編物。
【請求項４】
刺繍状の編目模様を施す編地部分を各段または１段おきに編成するようにした請求項１ないし３のいずれかに記載の両面アフガン編物。
【考案の詳細な説明】
【技術分野】
【０００１】  本考案は、所定の編地に盛り上った刺繍状の編目模様を簡易に編成することができる両面アフガン編物に関する。
【背景技術】
【０００２】  棒状の両鈎針を用いて編地を両面より編成する両面アフガン編物が知られている。この両面アフガン編物は、異色の編糸を用いることにより下記のように両面の編地模様を相違させたり、同じにしたりすることができるものである。
編地模様が相違する編物は、往路編と復路編を別の編糸を用いて行い、これを交互に編糸を変更して編成し、復路の際には編地を持ち替えて編成する。
また、編地模様が同じ編物は、往路編と復路編を別の編糸を用いて行い、これを繰り返して編成し、復路の際には編地を持ち替えて編成する。【０００３】  これらの両面アフガン編物は、複数色の編糸を用いることによって変化の富んだ編地模様を形成することができるが、この編地の所定の位置に更に他の模様を施すことが難しかった。【０００４】  そこで、本出願人は、編地の所定の位置に簡便に他の模様を施すことができる両面アフガン編物を考案し、この考案が実用新案第３１５９２１９号として登録された。
本出願人は、その後、この両面アフガン編物について試作し研究したところ、編地の所定の位置に刺繍やステッチ、バンチング等のように別途他の編糸を用いて編み込んだり付設したりすることなく、往復路の編成のみによって突出した新しい感覚の編地模様を有する編物を得るに至った。
【先行技術文献】
【特許文献】
【０００５】
【特許文献１】実公昭４８−６７８２号公報
【特許文献２】実公昭４８−６７８３号公報
【特許文献３】実用新案登録第３１５９２１９号公報
【考案の概要】
【考案が解決しようとする課題】
【０００６】  本考案は、従来の編物を改良するものであり、編地の所定の位置に盛り上がった刺繍状の編目模様を簡便かつ迅速に施すことができる見栄えのよい編物を提供しようとするものである。
【課題を解決するための手段】
【０００７】  本考案は、複数の編糸を用いて編成する両面アフガン編物であって、所定の編地位置に、往路を編成する際に単数または複数の表目の裏面の目を拾って編成し、復路を編成する際に裏面の目を拾った位置で鎖目を編成することによって盛り上がった刺繍状の編目模様を形成するようにしたものである。
また、本考案は、編地を二本の編糸で編成したり、編糸を異色のもので編成したりしたものである。
更に、編目模様を施す編地部分を各段または１段おきに編成し、両面の編地に変化を与え、両面に同様の編地模様を施したり、両面に異色の編地模様を施したりしたものである。
【考案の効果】
【０００８】  本考案は、上記のように構成されているので、模様を施す編地位置に刺繍状の盛り上がった編目模様が簡便かつ迅速に編成でき、新規の見栄えのよい両面アフガン編物を得ることができる。
【図面の簡単な説明】
【０００９】
【図１】  編地の一部を示す概略平面図である。
【図２】  図１における部分拡大概略平面図である。
【図３】  編地の両面に同様の編地模様が現れるアフガン編物の組織図である。
【図４】  編地の両面に異色の編地模様が現れるアフガン編物の組織図である。
【図５】  往路編の際に表目の裏面の目を拾って編成する場合を示す斜面図である。
【図６】  復路編の際に裏面の目を拾った位置で鎖目を編成する場合を示す斜面図である。
【考案を実施するための形態】
【００１０】  本考案は、セーター、コート、ベスト、カーディガン、ジャケット、マフラー、ストール、ケープ、ポンチョその他の編物に適用することができる。
実施例では、説明の都合上、編物１の一部を表示し、編物１を二色の編糸Ａ糸２とＢ糸３で編成している場合を示している。
【００１１】  編地の両面に同様の編目模様が編成される場合について、図３を用いて説明する。なお、この実施例では所定の編地に盛り上がった菱形状の編目模様が編成されている。
先ず、棒状の両鈎針４の一方の鈎部５を用いてＡ糸２で鎖目６を作り、このＡ糸２で折り返して鎖目６を拾いながら往路７を編む。
【００１２】  次に、編地を持ち替えて、両鈎針４の他方の鈎部を用いてＢ糸３で復路８を編み、続いてＢ糸３で表目９を拾いながら２段目の往路１０を編む。その際に、編地に盛り上がった刺繍状の模様１１を施そうとする位置（図３において「〜」の記号を縦に表示したような記号の位置）で、図５に示すように表目９の裏面の目１２を拾って編む。
【００１３】  上記の裏面の目１２を拾う際に、図５に示すように編地の上部を少し手前に折り返えすと、裏面の目１２を楽に拾うことができ、目を拾う際に編地を持ち替えたりすることもなく、往路１０を円滑にかつ迅速に編むことができ、きれいな連続した編目が得られる。
【００１４】  ２段目の復路１３を編成する際は、編地を持ち替えてＡ糸２で編む。その際に、上記表目９の裏面の目１２を拾った位置（図３において「鎖目の記号」と「「〜」の記号を結合した記号の位置）で、図６に示すように鎖目１４を入れて戻り目を編むようにする。
【００１５】  ３段目以降は、図３に示すように上記２段目の編成と同様に往路と復路を編み、往路で編目模様１１の形状に合わせて、順次段数ごとに目数を増減して表目９の裏面の目１２を拾い、復路で編目模様１１を施す部分において鎖目１４を入れて戻り目を編む。この例では、１段目と２段目に１目の鎖目を編成し、次に３段目と４段目に３目の鎖目を編成し、以後順次鎖目（奇数分）を増やし、９段目以降は順次鎖目（奇数分）を減らして、菱形状の編目模様１１を編成している。
【００１６】  なお、編目模様１１は、上記のような菱形模様以外にその他の形状模様や植物、動物、風景、人物、幾何学図形等の適宜の模様とすることができる。
【００１７】  図４の編物は、編地の両面に同様の編目模様が編成される場合を示している。
上記図３に示す編物と、この図４に示す編物との大きな違いは、鎖目１４を入れて編成する部分が図３の編物では各段において設けられているのに対し、図４の編物では１段おきに設けられている点である。なお、図４に示す編物では、１段目に１目の鎖目１４を編成し、２段目に表目９の裏面の目１２を１目拾って鎖目１４は編成しない状態とし、３段目に３目の鎖目１４を編成し、４段目に表目９の裏面の目１２を３目拾って鎖目１４は編成しない状態としていろ。以後は順次鎖目（奇数分）を増やし、９段目以降は順次鎖目（奇数分）を減らして、菱形状の編目模様１１を編成している。
【００１８】  上記編物１では、裏面の目１２で編成された部分の編地が凹状に低くなった低域部１５を形成し、その裏側の目の部分に鎖目１４を施した編地が盛り上がった刺繍状の高域部１６を形成するので、その高低の差により色彩の異なる編糸を用いて編成した場合などは、低い部分の編地が見る角度によって見え隠れしたりして見える範囲が変化し、玉虫状の色彩変化をもたらすとともに、高域部１６があたかも刺繍を施したような趣のある編物を得ることができる。なお、編糸の太さを変えたり、編糸の種類を変えたりすると、一層違った感じの編物が得られる。
【符号の説明】
【００１９】２  Ａ糸    ３  Ｂ糸    ７、１０  往路    ８、１３  復路    ９  表目    １１  模様    １２  裏面の目    １４  鎖目    １５  低域部    １６高域部
【図１】
0003184231.tif 000003
【図２】
0003184231.tif 000004
【図３】
0003184231.tif 000005
【図４】
0003184231.tif 000006
【図５】
0003184231.tif 000007
【図６】
0003184231.tif 000008